(57)【特許請求の範囲】
【請求項１】
ＯＦＤＭ信号である受信信号をローカル発振器の出力と周波数混合して中間周波数に変換し、該中間周波数の信号をバンドパスフィルタに通し、かつバンドパスフィルタの出力信号を復調する受信機における周波数制御回路であって、
前記バンドパスフィルタの出力信号をＡ／Ｄ変換するＡ／Ｄ変換器と、
該Ａ／Ｄ変換器から出力されるＡ／Ｄ変換出力を直交検波してベースバンド信号に変換する直交検波回路と、
該直交検波回路から出力されるベースバンド信号中におけるオフセット周波数成分をキャンセルする周波数補正回路と、
該周波数補正回路から出力されるベースバンド信号を各キャリアに分離するＦＦＴ回路と、
規定されたキャリア位置に規定された振幅および位相で挿入されているパイロットキャリアを前記ＦＦＴ回路の出力から抽出し、かつ抽出されたパイロットキャリアの位相からバンドパスフィルタの中心周波数の温度に基づくずれおよびローカル発振器の発振周波数の温度に基づく周波数ドリフトによるオフセット周波数を検出するオフセット周波数検出回路と、
オフセット周波数検出回路によって求めたオフセット周波数を打ち消すように、オフセット周波数に基づき発振周波数が制御され、かつ出力が前記周波数補正回路に送出されて前記周波数補正回路においてオフセット周波数をキャンセルさせるための数値制御発振器と、
オフセット周波数検出回路によって求めたオフセット周波数に基づいて温度情報を求める温度情報検出手段と、
前記温度情報検出手段によって求めた温度情報に基づくバンドパスフィルタの中心周波数のずれに対応させてローカル発振器の発振周波数を制御して中間周波数をバンドパスフィルタの中心周波数に一致させるＩＦ制御手段と、
を備えたことを特徴とする周波数制御回路。
【請求項２】
請求項１記載の周波数制御回路において、
ローカル発振器は基準周波数の発振をしてＰＬＬ回路の基準発振器として作用するＶＣＸＯを備え、
温度情報検出手段はオフセット周波数から、予め設けたＶＣＸＯの温度・周波数特性テーブルを参照して温度情報を求め、
ＩＦ制御手段は温度情報から、予め設けたバンドパスフィルタの温度・中心周波数特性のテーブルを参照してバンドパスフィルタの中心周波数を求め、ＶＣＸＯの発振周波数を制御して中間周波数が求めた中心周波数になるようにする
ことを特徴とする周波数制御回路。
【発明の詳細な説明】
【０００１】
【発明の属する技術分野】
本発明は受信機における温度に基づくバンドパスフィルタの通過帯域周波数変動に合わせて中間周波数を変化させる周波数制御回路に関する。
【０００２】
【従来の技術】
従来の受信機において、図３に示すように、アンテナから受信された信号がミキサ３１によってＰＬＬ回路３５からの発振出力の周波数と周波数混合されて中間周波数の信号に周波数変換される。中間周波数に変換するためのローカル発振器としてのＰＬＬ回路３５は温度補償水晶発振器（ＴＣＸＯ）３４から出力される基準信号に位相同期して発信する。中間周波数に変換された信号は、バンドパスフィルタ３２によって希望周波数以外の信号を抑圧し、復調回路３３に供給して、復調回路３３によって復調して送出される。
【０００３】
【発明が解決しようとする課題】
しかしながら、上記した従来の構成では、温度変化によってバンドパスフィルタの通過帯域周波数が変化し、通過する中間周波信号の周波数がバンドパスフィルタの通過帯域周波数から大きくずれてしまう場合、希望信号の一部が抑圧されてしまい、受信特性が劣化するという問題点があった。
【０００４】
本発明は、温度に基づくバンドパスフィルタの通過帯域周波数変動に合わせて中間周波数を変化させ、希望信号の抑圧を防止して受信特性を改善する周波数制御回路を提供することを目的とする。
【０００５】
【課題を解決するための手段】
本発明にかかる請求項１記載の周波数制御回路は、ＯＦＤＭ信号である受信信号をローカル発振器の出力と周波数混合して中間周波数に変換し、該中間周波数の信号をバンドパスフィルタに通し、かつバンドパスフィルタの出力信号を復調する受信機における周波数制御回路であって、
前記バンドパスフィルタの出力信号をＡ／Ｄ変換するＡ／Ｄ変換器と、
該Ａ／Ｄ変換器から出力されるＡ／Ｄ変換出力を直交検波してベースバンド信号に変換する直交検波回路と、
該直交検波回路から出力されるベースバンド信号中におけるオフセット周波数成分をキャンセルする周波数補正回路と、
該周波数補正回路から出力されるベースバンド信号を各キャリアに分離するＦＦＴ回路と、
規定されたキャリア位置に規定された振幅および位相で挿入されているパイロットキャリアを前記ＦＦＴ回路の出力から抽出し、かつ抽出されたパイロットキャリアの位相からバンドパスフィルタの中心周波数の温度に基づくずれおよびローカル発振器の発振周波数の温度に基づく周波数ドリフトによるオフセット周波数を検出するオフセット周波数検出回路と、
オフセット周波数検出回路によって求めたオフセット周波数を打ち消すように、オフセット周波数に基づき発振周波数が制御され、かつ出力が前記周波数補正回路に送出されて前記周波数補正回路においてオフセット周波数をキャンセルさせるための数値制御発振器と、
オフセット周波数検出回路によって求めたオフセット周波数に基づいて温度情報を求める温度情報検出手段と、
前記温度情報検出手段によって求めた温度情報に基づくバンドパスフィルタの中心周波数のずれに対応させてローカル発振器の発振周波数を制御して中間周波数をバンドパスフィルタの中心周波数に一致させるＩＦ制御手段と、
を備えたことを特徴とする。
【０００６】
本発明の請求項１記載の周波数制御回路によれば、ＯＦＤＭ信号である受信信号はローカル発振器の出力と周波数混合されて中間周波数に変換され、該中間周波数の信号はバンドパスフィルタに通して復調される。さらにいえば、バンドパスフィルタの出力信号はＡ／Ｄ変換され、続いて直交検波されてベースバンド信号に変換される。ベースバンド信号には、バンドパスフィルタの中心周波数の温度に基づくずれおよびローカル発振器の発振周波数の温度に基づく周波数ドリフトによるオフセット周波数成分が含まれている。このオフセット周波数成分をキャンセルするためにベースバンド信号は周波数補正回路を通してＦＦＴ回路に供給されて各キャリアに分離される。
一方、規定されたキャリア位置に規定された振幅および位相で挿入されているパイロットキャリアはＦＦＴ回路の出力からオフセット周波数検出回路にて抽出され、抽出されたパイロットキャリアの位相からバンドパスフィルタの中心周波数の温度に基づくずれおよびローカル発振器の発振周波数の温度に基づく周波数ドリフトによるオフセット周波数がオフセット周波数検出回路によって求められる。
オフセット周波数検出回路によって求められたオフセット周波数に基づいて温度情報検出手段によって温度情報が求められ、温度情報検出手段によって求められた温度情報に基づくバンドパスフィルタの中心周波数のずれに対応させてローカル発振器の発振周波数がＩＦ制御回路により制御させられて、中間周波数がバンドパスフィルタの中心周波数に一致させられる。また、オフセット周波数検出回路によって求められたオフセット周波数を打ち消すように、求められたオフセット周波数に基づき数値制御発振器の発振周波数が制御され、その発信出力が周波数補正回路に送出されて、周波数補正回路においてオフセット周波数がキャンセルされる。
したがって、温度の変化によってバンドパスフィルタの中心周波数がずれても、それにあわせてローカル発振器の発振周波数が制御されて中間周波信号の周波数がバンドパスフィルタの中心周波数に一致するように変化させられるために、温度の変化があっても、希望信号の抑圧は低減されて、受信特性が改善される。これによっても、さらに残存オフセット周波数成分があった場合でも、加えるに、オフセット周波数検出回路によって求められたオフセット周波数に基づき数値制御発振器の発振周波数が制御され、数値制御発振器の発信出力が周波数補正回路に供給されて周波数補正がなされる。このために、オフセット周波数が補正された信号がＦＦＴ回路に入力されることになる。
【０００７】
本発明にかかる請求項２の周波数制御回路は、請求項１記載の周波数制御回路において、
ローカル発振器は基準周波数の発振をしてＰＬＬ回路の基準発振器として作用するＶＣＸＯを備え、
温度情報検出手段はオフセット周波数から、予め設けたＶＣＸＯの温度・周波数特性テーブルを参照して温度情報を求め、
ＩＦ制御手段は温度情報から、予め設けたバンドパスフィルタの温度・中心周波数特性のテーブルを参照してバンドパスフィルタの中心周波数を求め、ＶＣＸＯの発振周波数を制御して中間周波数が求めた中心周波数になるようにする
ことを特徴とする。
【０００８】
本発明にかかる請求項２の周波数制御回路によれば、温度情報検出手段によって求めた温度情報から、ＩＦ制御手段において、予め設けられたＶＣＸＯの温度・周波数特性のテーブルが参照されてバンドパスフィルタの中心周波数が求められ、このようにして求められた中心周波数に中間周波数が一致するようにＶＣＸＯの発振周波数が制御される。したがって、温度の変化によってバンドパスフィルタの通過帯域周波数がずれても、それにあわせて中間周波数が変化させられるために、希望信号の抑圧は低減されて、受信特性が改善される。
【００１９】
【発明の実施の形態】
以下、本発明にかかる周波数制御回路を実施の一形態によって説明する。
【００２０】
図１は本発明の実施の一形態にかかる周波数制御回路の構成を示すブロック図であり、直交周波数分割多重（ＯＦＤＭ）信号を受信する受信機の場合を例示している。
【００２１】
本発明の実施の一形態にかかる周波数制御回路は、アンテナから受信した信号はミキサ１においてＰＬＬ回路２からの発信出力と周波数混合されて中間周波信号に変換され、中間周波信号はバンドパスフィルタ３を介してＡ／Ｄ変換器４に供給されてデジタル信号に変換される。Ａ／Ｄ変換器４から出力されるデジタル信号は直交検波回路５に供給されて直交検波されてベースバンド信号に変換される。ここで、ＰＬＬ回路２の基準発振器である電圧制御水晶発振器（ＶＣＸＯ）１６とＰＬＬ回路２とは協働してローカル発振器を構成している。
【００２２】
直交検波回路５から出力されるベースバンド信号は周波数補正回路６に供給されてオフセット周波数が補正され、ＦＦＴ（高速フーリエ変換）回路７に供給されてＦＦＴされることによって各キャリアに分離され、ＦＦＴ回路７にて分離されたキャリアはイコライザー回路８において周波数補正がなされて、判定回路９においてデータが復調される。
【００２３】
ここで、ＰＬＬ回路２の発振周波数ドリフトによるオフセット周波数ΔｆＩＦを含んだ中間周波信号が、バンドパスフィルタ３を通してＡ／Ｄ変換器４に供給されてＡ／Ｄ変換され、直交検波回路５においてベースバンド信号に変換される。直交検波回路５から出力されるベースバンド信号は周波数補正回路６においてオフセット周波数がキャンセルされる。
【００２４】
ここではまず初期状態であると仮定して、周波数補正回路６において周波数補正をせずにベースバンド信号を通過させるとする。ＦＦＴ回路７によってＯＦＤＭ信号が各キャリアに分離されて、イコライザー８で周波数特性が補正され、判定回路９によって各キャリアの情報成分が分離されてデータが復調される。
【００２５】
一方、ＦＦＴ処理後の分離されたキャリアから、規定されたキャリア位置に規定された振幅、位相で送信されるパイロットキャリアを抜き出し、その振幅と位相から周波数特性計算回路１０では受信した変調波の帯域内の周波数特性が計算され、その逆特性をイコライザー８に供給して周波数特性の補正を行う。
【００２６】
また、ＦＦＴ処理後の分離されたキャリアを受けたオフセット周波数検出回路１１では、パイロットキャリアの位相から受信信号のオフセット周波数が検出され、オフセット周波数をキャンセルするように数値制御発振器（ＮＣＯ）１２の発振周波数が制御されて、数値制御発振器１２の発振出力を受けて周波数補正回路６において周波数補正がなされる。
【００２７】
オフセット周波数検出回路１１において検出されたオフセット周波数は温度計算回路１３に供給されてオフセット周波数とＮＣＯ１２による補正周波数を加算した値（ΔｆＩＦ）に基づいて、ＰＬＬ回路２からの出力周波数ドリフトおよびＶＣＸＯ１６の周波数ドリフトが求められて、予め設けてあるＶＣＸＯ１６の制御電圧・周波数ドリフトのテーブルからＶＣＸＯ１６の制御電圧による周波数ドリフトが求められて、この制御電圧による周波数ドリフトをＶＣＸＯ１６の周波数ドリフトから差し引いてＶＣＸＯ１６の温度による周波数ドリフトが求められる。この温度による周波数ドリフトから、予め設けてあるＶＣＸＯ１６の温度・周波数特性のテーブルが参照されて、温度情報が求められる。なお、ＩＦ制御回路１４からの出力がＶＣＸＯ１６に対する制御電圧として温度計算回路１３にフィードバックされる。
【００２８】
温度計算回路１３において求められた温度情報はＩＦ制御回路１４に供給されて、温度計算回路１３にて求めた温度情報から、予め設けてあるバンドパスフィルタ３の温度・中心周波数特性のテーブルが参照されて、ＩＦ制御回路１４の出力を受けたＤ／Ａ変換器１５の出力によって該温度情報から温度・中心周波数特性のテーブルにより求めたバンドパスフィルタ３の中心周波数に中間周波数が近づくようにＶＣＸＯ１６の発振周波数が制御される。
【００２９】
ここで、Ａ／Ｄ変換器４、直交検波回路５、周波数補正回路６、ＦＦＴ回路７、イコライザ８、判定回路９、周波数特性計算回路１０、オフセット周波数検出回路１１、ＮＣＯ１２および温度計算回路１３は復調器を構成している。
【００３０】
アンテナにて受信した希望信号の周波数をｆＲＦとし、ＰＬＬ回路２の発振周波数をｆＬＯとし、中間周波数をｆＩＦとする。ｆＲＦ＞ｆＬＯの方式では、
ｆＩＦ＝ｆＲＦ−ｆＬＯ
であり、ｆＬＯはＶＣＸＯ１６の出力周波数、すなわちＰＬＬ回路２の基準周波数ｆＲＥＦに係数Ｋを乗じたものである。
【００３１】
この場合、ｆＬＯはＶＣＸＯ１６の発振周波数を基準にしたＰＬＬ回路２発振周波数であるため、
Ｋ＝ｆＬＯ側の分周比／ｆＲＥＦ側の分周比としたとき、
ｆＬＯ＝Ｋ・ｆＲＥＦ
となり、
ｆＩＦ＝ｆＲＦ−Ｋ・ｆＲＥＦ
となる。
【００３２】
ｆＲＦは送信周波数であるため殆ど変動することはなく、あったとしても誤差範囲内であり、この変動を無視することができる。したがって中間周波数ｆＩＦに変動があった場合、それは基準周波数ｆＲＥＦが変動したことによるものであると考えることができる。
【００３３】
中間周波数ｆＩＦの変動分をΔｆＩＦとし、基準周波数ｆＲＥＦの変動分をΔｆＲＥＦとすれば、
（ｆＩＦ＋ΔｆＩＦ）＝ｆＲＦ−Ｋ・（ｆＲＥＦ＋ΔｆＲＥＦ）
となり、
（ｆＩＦ＋ΔｆＩＦ）＝（ｆＲＦ−Ｋ・ｆＲＥＦ）−Ｋ・ΔｆＲＥＦ
（ｆＩＦ＋ΔｆＩＦ）＝ｆＩＦ−Ｋ・ΔｆＲＥＦ
ΔｆＩＦ＝−Ｋ・ΔｆＲＥＦ
となる。
【００３４】
ここで、基準周波数ｆＲＥＦの変動は、基準周波数ｆＲＥＦの温度による変動分ΔｆＲＥＦｔおよびＶＣＸＯ１６の制御電圧による変動分ΔｆＲＥＦｖが加わったものであると考えられるから、ΔｆＲＥＦｔに基づく中間周波数の変動分をΔｆＩＦｔとし、ΔｆＲＥＦｖに基づく中間周波数の変動分をΔｆＩＦｖとすれば、
ΔｆＲＥＦ＝ΔｆＲＥＦｔ＋ΔｆＲＥＦｖ
ΔｆＩＦ＝ΔｆＩＦｔ＋ΔｆＩＦｖ
となり、
ΔｆＩＦｔ＝Ｋ・ΔｆＲＥＦｔ
ΔｆＩＦｖ＝Ｋ・ΔｆＲＥＦｖ
となる。
【００３５】
しかるに、上記したようにＶＣＸＯ１６の制御電圧による周波数ドリフトΔｆＲＥＦｖは、予め設けてあるＶＣＸＯ１６の制御電圧・周波数ドリフトのテーブルから求められて既知であるため、ＶＣＸＯ１６の制御電圧による周波数ドリフトΔｆＲＥＦｖに基づく中間周波数のドリフトΔｆＩＦｖが求められる。ＶＣＸＯ１６の制御電圧による周波数ドリフトをＶＣＸＯ１６の周波数ドリフトから差し引いてＶＣＸＯ１６の温度による周波数ドリフトが求められる。この温度による周波数ドリフトから、予め設けてあるＶＣＸＯ１６の温度特性、すなわち温度・周波数特性のテーブルが参照されて、温度Ｔが求められる。
【００３６】
一方、バンドパスフィルタ３の温度変化による通過帯域周波数が変動する場合、バンドパスフィル３の温度・中心周波数特性のテーブルが参照されて、温度Ｔと、温度・中心周波数特性のテーブルとにより求めたバンドパスフィルタ３の中心周波数に中間周波数が近づくようにＤ／Ａ変換器１５の出力に基づいてＶＣＸＯ１６の発信周波数が制御される。したがって、バンドパスフィルタ３の通過帯域周波数の中心周波数が温度によってずれても、中間周波数がずらされてバンドパスフィルタ３の通過帯域周波数の中心周波数付近に制御されて、受信信号が抑圧されることはなくなる。
【００３７】
次に本発明の実施に一形態にかかる周波数制御回路の変形例について説明する。
【００３８】
図２は本発明の実施の一形態にかかる周波数制御回路の変形例の構成を示すブロック図である。
【００３９】
本変形例では、ミキサ１７およびＰＬＬ回路１８を備えて、バンドパスフィルタ３を介して出力される第１中間周波数を第２中間周波数に変換し、復調器へ供給している点と、ＩＦ制御回路１４Ａの出力によってＰＬＬ回路を制御する点とにおいて、本発明の実施の一形態にかかる周波数制御回路と異なっている。
【００４０】
本発明の実施の一形態にかかる周波数制御回路の変形例は、アンテナから受信した信号はミキサ１においてＰＬＬ回路２からの発信出力と周波数混合されて第１中間周波信号に変換され、第１中間周波信号はバンドパスフィルタ３を介して出力される。バンドパスフィルタ３からの出力信号はミキサ１７においてＰＬＬ回路１８からの発信出力と周波数混合されて第２中間周波数に変換され、Ａ／Ｄ変換器４に供給されてデジタル信号に変換される。Ａ／Ｄ変換器４から出力されるデジタル信号は直交検波回路５に供給されて直交検波されてベースバンド信号に変換される。
【００４１】
ここで、電圧制御水晶発振器（ＶＣＸＯ）１６はＰＬＬ回路２およびＰＬＬ回路１８の基準発振器であり、ＰＬＬ回路２とＶＣＸＯ１６とは協働して第１のローカル発振器を構成し、ＰＬＬ回路１８とＶＣＸＯ１６とは協働して第２のローカル発振器を構成している。
【００４２】
直交検波回路５から出力されるベースバンド信号は周波数補正回路６に供給されてオフセット周波数が補正され、ＦＦＴ回路７に供給されてＦＦＴされることによって各キャリアに分離され、ＦＦＴ回路７にて分離されたキャリアはイコライザー回路８において周波数補正がなされて、判定回路９においてデータが復調される。
【００４３】
ここで、ＰＬＬ回路２の発振周波数ドリフトによるオフセット周波数ΔｆＩＦを含んだ中間周波信号が、バンドパスフィルタ３を通してＡ／Ｄ変換器４に供給されてＡ／Ｄ変換され、直交検波回路５においてベースバンド信号に変換される。直交検波回路５から出力されるベースバンド信号は周波数補正回路６においてオフセット周波数がキャンセルされる。
【００４４】
ここではまず初期状態であると仮定して、周波数補正回路６において周波数補正をせずにベースバンド信号を通過させるとする。ＦＦＴ回路７によってＯＦＤＭ信号が各キャリアに分離されて、イコライザー８で周波数特性が補正され、判定回路９によって各キャリアの情報成分が分離されてデータが復調される。
【００４５】
一方、ＦＦＴ処理後の分離されたキャリアからパイロットキャリアを抜き出し、その振幅と位相から周波数特性計算回路１０では受信した変調波の帯域内の周波数特性が計算され、その逆特性をイコライザー８に供給して周波数特性の補正を行う。
【００４６】
また、ＦＦＴ処理後の分離されたキャリアを受けたオフセット周波数検出回路１１では、パイロットキャリアの位相から受信信号のオフセット周波数が検出され、オフセット周波数をキャンセルするように数値制御発振器（ＮＣＯ）１２の発振周波数が制御されて、数値制御発振器１２の発振出力を受けて周波数補正回路６において周波数補正がなされる。
【００４７】
オフセット周波数検出回路１１において検出されたオフセット周波数は温度計算回路１３に供給されてオフセット周波数とＮＣＯ１２による補正周波数を加算した値（ΔｆＩＦ）に基づいて、ＰＬＬ回路２からの出力周波数ドリフトおよびＶＣＸＯ１６の周波数ドリフトが求められて、予め設けてあるＶＣＸＯ１６の制御電圧・周波数ドリフトのテーブルからＶＣＸＯ１６の制御電圧による周波数ドリフトが求められて、この制御電圧による周波数ドリフトをＶＣＸＯ１６の周波数ドリフトから差し引いてＶＣＸＯ１６の温度による周波数ドリフトが求められる。
【００４８】
この温度による周波数ドリフトから、予め設けてあるＶＣＸＯ１６の温度・周波数特性のテーブルが参照されて、温度情報が求められる。なお、ＩＦ制御回路１４からの出力がＶＣＸＯ１６に対する制御電圧として温度計算回路１３にフィードバックされる。
【００４９】
温度計算回路１３において求められた温度情報はＩＦ制御回路１４Ａに供給されて、温度計算回路１３にて求めた温度から予め設けてあるバンドパスフィルタ３の温度・中心周波数特性のテーブルが参照されて、ＩＦ制御回路１４Ａの出力を受けたＤ／Ａ変換器１５の出力よって該温度に対する温度・中心周波数特性のテーブルにより求めたバンドパスフィルタ３の中心周波数に中間周波数が近づくようにＶＣＸＯ１６の発信周波数が制御される。
【００５０】
ＩＦ制御回路１４Ａでは、さらに、予め温度・分周比のテーブルを備えており、温度計算回路１３にて求めた温度から、温度・分周比のテーブルが参照されて、分周比制御出力が求められて、分周比制御出力がＰＬＬ回路１８の分周器に供給されて、該分周器の分周比をが変更制御される。
【００５１】
ここで、Ａ／Ｄ変換器４、直交検波回路５、周波数補正回路６、ＦＦＴ回路７、イコライザー８、判定回路９、周波数特性計算回路１０、オフセット周波数検出回路１１、ＮＣＯ１２および温度計算回路１４Ａは復調器を構成している。
【００５２】
上記した本発明の実施の一形態にかかる周波数制御回路の変形例によれば、温度変化によりバンドパスフィルタ３の通過帯域周波数範囲が変化して、復調器が同期可能な希望信号の周波数範囲よりも、バンドパスフィルタ３の通過帯域周波数範囲が大きくなった場合、ＶＣＸＯ１６の発振周波数が中間周波数制御信号に基づいて変更されて、ＰＬＬ回路２およびＰＬＬ回路１８の発振周波数が制御されて、第１および第２中間周波数が制御される。一方、ＰＬＬ回路１８の発振周波数が、ＰＬＬ回路２５の分周器の分周比制御によって第１の中間周波数の変化の方向と逆方向に制御されて、ミキサ２０から出力される第２中間周波数が、復調器２１が同期可能な範囲内に制御される。
【００５３】
したがって、上記した本発明の実施の一形態にかかる周波数制御回路の変形例によれば、温度変化によってバンドパスフィルタの通過帯域周波数がずれて、第１中間周波数を変化させた場合に、第２中間周波数が第１中間周波数の変化方向と逆の方向に変化させられるために、バンドパスフィルタの通過帯域周波数の変動幅が復調器が同期可能な希望信号の周波数範囲よりも大きい場合においても、第２中間周波数を同期可能な周波数範囲に補正するため希望信号の受信が可能となり、希望信号の抑圧が低減されて、受信特性が改善される。
【００５４】
【発明の効果】
以上説明したように本発明の周波数制御回路によれば、温度変化によってバンドパスフィルタの通過帯域周波数が大きくずれた場合、それに合わせて、中間周波数が変化させられて、希望信号の抑圧が低減されて、受信特性が改善されるという効果が得られる。
【図面の簡単な説明】
【図１】本発明の実施の一形態にかかる周波数制御回路の構成を示すブロック図である。
【図２】本発明の実施の一形態にかかる周波数制御回路の変形例の構成を示すブロック図である。
【図３】従来の周波数制御回路の構成を示すブロック図である。
【符号の説明】
１および１７  ミキサ
２および１８  ＰＬＬ回路
３  バンドパスフィルタ
５  直交検波器
６  周波数補正回路
７  ＦＦＴ回路
８  イコライザー
９  判定回路
１０  周波数特性計算回路
１１  オフセット周波数検出回路
１２  ＮＣＯ
１３  温度計算回路
１４および１４Ａ  ＩＦ制御回路
１６  ＶＣＸＯ
【図１】
0003820063.tif 000002
【図２】
0003820063.tif 000003
【図３】
0003820063.tif 000004